(57)【特許請求の範囲】
【請求項１】
天板の表面に形成された開口部に、収容物が収容される大きさ及び形状に形成された透光性を有するケースを収容し、
前記ケースの下方に、該ケースに向けて光を投光する光源を配置し、
前記ケース及び光源の少なくとも一方の高さを可変調節する高さ調節手段を設けたことを特徴とする
装飾テーブル。
【請求項２】
前記高さ調節手段は、前記ケース及び光源の少なくとも一方の高さを段階的に可変調節するための段階的調節手段により構成した
請求項１に記載の装飾テーブル。
【請求項３】
前記高さ調節手段は、前記ケース及び光源の少なくとも一方の高さを無段階に可変調節するための無段階調節手段により構成した
請求項１に記載の装飾テーブル。
【請求項４】
前記高さ調節手段は、前記ケースと光源との間を、所望する収容物の収容が許容される間隔に可変調節自在に形成した
請求項１〜３のいずれか一つに記載の装飾テーブル。
【請求項５】
前記ケースの底部に、該ケース内に貯蔵された液体を排出する際に開口される排水口を設けた
請求項１〜４のいずれか一つに記載の装飾テーブル。
【請求項６】
前記ケース及び光源を支持して前記高さ調節手段により高さ調節される各支持部材を備え、該各支持部材の前記ケースの排水口と連通する直下位置に、該排水口に接続される排水ホースを挿入するための挿通孔を設けた
請求項１〜５のいずれか一つに記載の装飾テーブル。
【発明の詳細な説明】
【技術分野】
【０００１】
この発明は、例えば結婚式の披露宴会場、宴会等において演出や装飾に用いられる装飾テーブルに関する。
【背景技術】
【０００２】
従来、前記結婚式の披露宴会場に設置されるテーブルとしては、例えば天板の貫通孔に設けられた強化硝子と、天板裏側の貫通孔周辺に設けられた光源とを備えたテーブルがある。このテーブルは、天板の表側にテーブルクロスを敷設した後、光源から投光される光を強化硝子から上方に放射すると共に、天板周囲に垂下されたテーブルクロスを光らせるものである。
【特許文献１】実用新案登録第３０９０８６５号公報
【発明の開示】
【発明が解決しようとする課題】
【０００３】
しかし、前記テーブルは、天板の貫通孔に設けられた強化硝子と、天板の裏側に設けられた光源とが定位置に固定されているので、強化硝子と光源との位置を変更することが不可能であり、所望する高さに調節することができない。また、光源の位置を変更する場合、光源が取り付けられた器具カバーをテーブル板の裏面から取り外して、光源が異なる位置に取り付けられた器具カバーに交換しなければならず、その器具カバーの交換作業に手間及び時間が掛かる。
【０００４】
この発明は前記問題に鑑み、演出や要望、好み等に応じて透光性のケース及び光源を所望する高さに調節することができる装飾テーブルの提供を目的とする。
【課題を解決するための手段】
【０００５】
請求項１に記載した発明の装飾テーブルは、天板の表面に形成された開口部に、収容物が収容される大きさ及び形状に形成された透光性を有するケースを収容し、前記ケースの下方に、該ケースに向けて光を投光する光源を配置し、前記ケース及び光源の少なくとも一方の高さを可変調節する高さ調節手段を設けたことを特徴とする。
【０００６】
この発明によると、天板の開口部に収容されたケースと光源との少なくとも一方の高さを可変調節できる。ケースと光源との間隔を狭くすれば、光源からケースに向けて投光される光量が多くなり、ケース以外の部分に向けて投光される光量が少なくなる。これにより、ケースを透過して上方に向けて放射及び拡散される光量が多くなるので、明るい視覚的効果が得られる。また、ケースと光源との間隔を広くすれば、光源からケースに向けて投光される光量が少なくなり、ケース以外の部分に向けて投光される光量が多くなる。ケースを透過して上方に向けて放射及び拡散される光量が少なくなるので、少ない光での視覚的効果が得られる。
【０００７】
前記ケースは、例えば水槽、容器、箱等の透光性を有するもので構成することができる。また、ケースの材質としては、例えばプラスチック、硝子等の透光性を有する材質で構成することができる。また、ケースの上面には、収容物の出し入れが許容される大きさ及び形状に形成された開口部を設けている。また、ケースの開口部には、透光性を有する材質で形成された蓋体を開閉自在に取り付けてもよい。なお、光源から投光される光をケースの上方に向けて透過し得る程度に透明であれば、ケースを所望する色に着色された半透明のもので構成してもよい。また、ケースの側面を半透明又は不透明に形成してもよい。
【０００８】
また、光源は、例えばＬＥＤ素子、光電管（蛍光灯を含む）、電球、ランプ等で構成することができる。また、赤色、緑色、青色等に発光する三色の光源で構成するか、三色以外の所望する色（例えば白色、黄色、紫色等）に発光する光源で構成してもよい。
【０００９】
また、収容物は、例えば水、海水、温泉などの液体、或いは、スモーク、不燃性ガス、空気などの気体、或いは、砂、石、硝子、金属、プラスチックなどの固体、或いは、魚貝類、藻類、海草などの水中生物、或いは、透光性を有する硝子製品やプラスチック製品、或いは、フィルム状やシート状の印刷物、写真、絵、貴金属、玩具、化粧品、置物、植物等で構成することができる。
【００１０】
また、高さ調節手段は、例えばケースが載置される板部材や枠部材、棒部材、片部材、光源が支持される板部材や枠部材を係合するための段部、溝部、突起等からなる段階的調節手段と、例えばケースが載置される板部材や枠部材、光源が支持される板部材や枠部材を上下動するためのモータやシリンダなどアクチュエータ等からなる無段階調節手段とで構成することができる。
【００１１】
請求項２に記載した発明の装飾テーブルは、前記請求項１に記載の構成と併せて、前記高さ調節手段は、前記ケース及び光源の少なくとも一方の高さを段階的に可変調節するための段階的調節手段により構成したことを特徴とする。
【００１２】
この発明によると、段階的調節手段によりケース及び光源の少なくとも一方の高さを無段階に可変調節できる。これにより、ケースを透過して上方に向けて放射される光量を段階的に調光することもなし得る。
【００１３】
請求項３に記載した発明の装飾テーブルは、前記請求項１に記載の構成と併せて、前記高さ調節手段は、前記ケース及び光源の少なくとも一方の高さを無段階に可変調節するための無段階調節手段により構成したことを特徴とする。
【００１４】
この発明によると、無段階調節手段によりケース及び光源の少なくとも一方の高さを無段階に可変調節できる。これにより、ケースを透過して上方に向けて放射される光量を無段階に微調光することもなし得る。
【００１５】
請求項４に記載した発明の装飾テーブルは、前記請求項１〜３のいずれか一つに記載の構成と併せて、前記ケースと光源との間を、所望する収容物の収容が許容される間隔に可変調節自在に設けたことを特徴とする。
【００１６】
この発明によると、ケースと光源との間に収容された前記収容物（例えばビー玉、写真、絵等）を、光源から投光される光によりライトアップするので、光の調光による視覚的効果に加えて、ライトアップによる視覚的効果が相乗して得られる。
【００１７】
請求項５に記載した発明の装飾テーブルは、前記請求項１〜４のいずれか一つに記載の構成と併せて、前記ケースの底部に、該ケース内に貯蔵された液体を排出する際に開口される排水口を設けたことを特徴とする。
【００１８】
この発明によると、ケース底部の排水口を開口して、ケース内に貯蔵された液体を排水口から排出するので、液体の重量だけ軽くなり、ケースを天板の開口部から上方へ簡単に抜き取ることができる。
【００１９】
請求項６に記載した発明の装飾テーブルは、前記請求項１〜５のいずれか一つに記載の構成と併せて、前記ケース及び光源を支持して前記高さ調節手段により高さ調節される各支持部材を備え、該各支持部材の前記ケースの排水口と連通する直下位置に、該排水口に接続される排水ホースを挿入するための挿通孔を設けたことを特徴とする。
【００２０】
この発明によると、天板の開口部にケース及び光源を収容した後でも、ケース及び光源を支持する各支持部材に設けられた各挿通孔を介して、ケースの排水口に対して排水ホースを下方から接続することができる。
【００２１】
また、支持部材は、例えば水槽支持板、光源支持板、水槽支持枠、水槽支持棒、水槽支持片等で構成することができる。
【発明の効果】
【００２２】
この発明によれば、天板の開口部に収容されたケースと光源との少なくとも一方の高さを可変調節して、ケースと光源との間隔を相対的に拡縮することができる。これにより、ケースを透過して上方に向けて放射される光量が多くなるか少なくなるので、演出や要望、好み等に応じて所望する明るさに調光することができる。また、ケースに収容された収容物と、ケースと光源との間に収容された収容物が光源から投光される光によりライトアップされるので、光の調光による視覚的効果に加えて、ラットアップによる視覚的効果が相乗して得られる。
【発明を実施するための最良の形態】
【００２３】
この発明は、演出や要望、好み等に応じて所望する高さに調節することができるという目的を、天板の開口部に収容されたケースと光源との少なくとも一方の高さを可変調節することで達成した。
【実施例】
【００２４】
この発明の一実施例を以下図面に基づいて詳述する。  
図面は、ケースの一例である水槽を、天板の表面に形成された開口部に収容した装飾テーブルを示している。図１及び図２に於いて、この装飾テーブル１は、天板２の表面中央に形成された上方から見て略正方形の開口部２ａに、収容物の一例である水Ｗ及び魚、藻等の水中生物Ａを収容するための水槽３を収容している。また、水槽３下方の開口部２ａには、水槽３の底部に向けて所望する色の光を投光するための光源４を収容している。
【００２５】
天板２全体は、図１にも示すように、上方から見て略円形に形成されている。また、天板２の開口部２ａは、水槽３を上方から出し入れが許容される大きさ及び形状に形成されるとともに、上下方向に向けて貫通する状態に設けられている。また、開口部２ａの裏面側周縁部には、開口部２ａと対応して上方から見て略正方形に形成された筒状の収容部５を一体的に連設している。
【００２６】
天板２の裏面側周縁部には、天板２全体を略水平に支持するための各支持脚２ｂ…を所定間隔に隔てて４本垂設している。なお、天板２の平面形状は、例えば楕円形、長方形、雲形等の所望する形状に形成してもよい。
【００２７】
収容部５の両側内壁面には、図２にも示すように、階的調節手段の一例として、後述する水槽３が載置される水槽支持板３Ａと、光源４が支持される光源支持板４Ａとを略水平に支持するための左右一対の各段部５Ａ〜５Ｈを内側に向けて水平に突設している。また、各段部５Ａ〜５Ｈは、開口部２ａの両側内壁面に沿って上下方向に対して所定等間隔に隔てて複数段設けられている。
【００２８】
水槽支持板３Ａ及び光源支持板４Ａの出し入れが許容される収容部５の手前側出入口に、該出入口が閉塞される大きさ及び形状に形成した図示しない開閉扉を開閉自在に設けてもよい。つまり、収容部５の手前側出入口を開閉扉により閉塞しておけば、収容部５から水槽支持板３Ａ及び光源支持板４Ａが不意に突出する心配がなく、安全に利用することができる。
【００２９】
なお、水槽支持板３Ａ及び光源支持板４Ａは、後述する水槽３と同様に透光性を有するプラスチックにより形成されている。また、水槽支持板３Ａが載置される上位側の各段部５Ａ〜５Ｄと、光源支持板４Ａが載置される下位側の各段部５Ｅ〜５Ｈとに分割して設けてもよい。また、水槽３の両側縁部を、開口部２ａの両側内壁面に設けられた一対の各段部５Ａ〜５Ｈに直接載置してもよい。
【００３０】
水槽３は、天板２の開口部２ａと対応して、透光性を有するプラスチックにより上方から見て略正方形の上面開口されたボックス形状に形成され、開口部２ａに対して上方から出し入れ自在に設けられている。また、水槽３の上面には、水中生物Ａやその他の収容物を出し入れするための口部３ａが設けられ、その口部３ａには、透光性を有する材質で形成された蓋体３ｂが開閉自在に取り付けられている。
【００３１】
また、上方から見て天板２の開口部２ａと水槽３の上面側周縁部との間に形成される隙間の上に、該隙間が覆われる大きさ及び形状に形成された断面Ｔ字状や断面Ｌ字状の装飾カバー２Ａを装着してもよい。これにより、テーブルとしての意匠性が向上し、また、ゴミ等の異物が隙間に侵入するのを防止することができる。
【００３２】
水槽３の底部は、底部中央に設けられた排水口３ｃに向けて、水槽３内に貯蔵された水Ｗが流下される角度に傾斜している。また、水槽支持板３Ａの中央に開口された挿通孔３Ａａと、光源支持板４Ａの中央に開口された挿通孔４Ａａは、水槽３の排水口３ｃと連通して直下位置に設けられている。
【００３３】
つまり、天板２の開口部２ａに連設された収容部５に水槽３及び光源４を収容した後でも、水槽支持板３Ａの挿通孔３Ａａと光源支持板４Ａの挿通孔４Ａａとを介して、水槽３の排水口３ｃに対して排水ホース６を下方から接続することができる。排水口３ｃから栓体３ｄを引き抜いて、水槽３内に貯蔵された水Ｗを排水口３ｃから排出すれば、水Ｗの貯蔵量だけ重量が軽くなるので、水槽３を天板２の開口部２ａから簡単に抜き取ることができる。
【００３４】
なお、水槽３の排水口３ｃに対して水槽支持板３Ａ及び光源支持板４Ａの各挿通孔３Ａａ，４Ａａが連通される位置に、水槽支持板３Ａ及び光源支持板４Ａの表裏及び向きを規制するためのガイド手段を設けてもよい。
【００３５】
また、水槽３から排出される水Ｗは、排水ホース６を介して、収容部５下方に配置された貯溜容器７に一旦貯溜され、図示しない排水路に排水するか、水槽３に再び返還される。なお、水槽３の排水口３ｃには手動式のバルブを設けてもよい。なお、水槽３の排水口３ｃに接続された排水ホース６を収容部５外部へ引き出すことが可能であれば、光源支持板４Ａに挿通孔４Ａａを設けなくてもよい。
【００３６】
光源４は、赤色、緑色、青色等に発光する三色のＬＥＤ素子で構成されており、天板２の開口部２ａに収容される水槽３底面と対向して、開口部２ａに収容される光源支持板４Ａの内部に対して所定等間隔に隔てて複数配列されている。なお、三色のＬＥＤ素子に代えて、例えば白色、黄色、紫色等の三色以外の所望する色に発光するＬＥＤ素子に取り替えてもよい。また、各光源４…からなる図示しない照明装置を光源支持板４Ａに載置してもよい。
【００３７】
また、各光源４…は、図示しない制御部を介して、例えば家庭用コンセント、バッテリー等の図示しない電源部に接続されており、その電源部から供給される電力により点灯される。また、制御部に接続された受信器は、無線式のリモートコントローラ１０から出力される信号を受信する。つまり、制御部は、リモートコントローラ１０の操作時に出力される信号に基づいて、図示しない記憶部に記憶された点灯パターン、点滅パターン、照度パターン、発色パターン等のプログラムに沿って、各光源４…の点灯・点滅・照度・発色等を個別に制御する。また、図示しない操作部に設けられたスイッチのＯＮ／ＯＦＦ操作により調節してもよい。
【００３８】
水槽支持板３Ａと光源支持板４Ａは、天板２の開口部２ａに連設された収容部５に対して手前からスライド式に出し入れが許容される大きさ及び形状に形成されている。つまり、水槽支持板３Ａの両側縁部は、収容部５の上位側内壁面に設けられた一対の各段部５Ａ〜５Ｄに載置される。また、光源支持板４Ａの両側縁部は、開口部２ａの下位側内壁面に設けられた一対の各段部５Ｅ〜５Ｈに載置される。
【００３９】
水槽３の高さを調節する場合、水槽支持板３Ａを収容部５から手前に引き抜いて、水槽支持板３Ａの両側縁部を、収容部５の上位側内壁面に設けられた各段部５Ａ，５Ｂ，５Ｃ，５Ｄから選択した所望する位置の段部に手前から挿入して載置すれば、水槽支持板３Ａに載置される水槽３の高さを段階的に可変調節することができる。
【００４０】
また、光源４の高さを調節する場合、光源支持板４Ａを収容部５から手前に引き抜いて、光源支持板４Ａの両側縁部を、収容部５の下位側内壁面に設けられた各段部５Ｅ，５Ｆ，５Ｇ，５Ｈから選択した所望する位置の段部に手前から挿入して載置すれば、光源支持板４Ａに載置された各光源４…の高さを段階的に可変調節することができる。なお、水槽支持板３Ａ及び光源支持板４Ａが載置される各段部５Ａ〜５Ｈの段数を、例えば２段〜７段、８段以上等の複数段に変更してもよい。
【００４１】
また、水槽３と光源４との間には、収容物の一例である透光性を有するガラス製のビー玉Ｂを複数収容している。光源４から投光される光によりビー玉Ｂがラットアップされる。なお、ビー玉Ｂに代えて、例えば写真や絵、貴金属、玩具、化粧品、置物、植物等の単数又は複数を収容するか、何も収容しなくてもよい。
【００４２】
また、水槽３の内部には、水中生物Ａを成育するのに適した水質の水Ｗを所定量貯蔵している。水中生物Ａの一例である魚を水槽３内に貯蔵された水Ｗに入れておけば、光源４から投光される光により水Ｗ中を泳ぐ魚がライトアップされる。なお、水Ｗに代えて、例えば海水などの液体、或いは、スモーク、不燃性ガス、空気などの気体、或いは、砂、石、硝子、金属、プラスチックなどの固体等を収容してもよい。また、無色透明な水Ｗ或いは所望する色に着色した水Ｗのみを収容するか、何も収容しなくてもよい。
【００４３】
つまり、水槽３に収容された水中生物Ａと、水槽３と光源４との間に収容されたビー玉Ｂ等の収容物が光源４から投光される光によりライトアップされるので、光の調光による視覚的効果に加えて、ラットアップによる視覚的効果が相乗して得られる。
【００４４】
図示実施例は前記の如く構成するものにして、以下、装飾テーブル１による調光方法を説明する。
【００４５】
先ず、図１、図２に示すように、光源４の高さが固定された状態にて、水槽３の高さを調節する場合、水槽３が載置される水槽支持板３Ａを、収容部５の上位側内壁面に設けられた複数段の中から選択した所望する位置の各段部５Ａ〜５Ｄに載置すれば、水槽支持板３Ａに載置される水槽３の高さを段階的に可変調節することができる。
【００４６】
つまり、水槽支持板３Ａを、収容部５に設けられた最上段の各段部５Ａ，５Ａに載置すれば、水槽支持板３Ａに載置される水槽３の上部が天板２の開口部２ａよりも上方に突出される（図１の仮想線参照）。その下段側の各段部５Ｂ，５Ｂに載置した際よりも水槽３と光源４との間隔が広くなる。光源４から水槽３に向けて投光される光量が最も少なくなり、水槽３以外の部分に向けて投光される光量が多くなるので、水槽３を透過して上方に向けて放射及び拡散される光量が少なく、最も暗い状態に調光することができる。また、水槽３を天板２の開口部２ａよりも上方に突出する高さに調節することで、水槽３の存在感が大きくなり、演出及び装飾の幅を広くすることができる。
【００４７】
また、水槽支持板３Ａを、上から３段目の各段部５Ｃ，５Ｃに載置すれば、水槽３が天板２の表面と略水平となる高さに支持される（図１の実線参照）。上段側の各段部５Ｂ，５Ｂに載置した際よりも水槽３と光源４との間隔が広く、下段側の各段部５Ｄ，５Ｄに載置した際よりも狭くなる。光源４から水槽３に向けて投光される光量が少なくなり、水槽３以外の部分に向けて投光される光量が多くなるので、中程度の明るい状態に調光することができる。また、水槽３を天板２の表面と略水平となる高さに調節することで、シンプル又はスマートな印象を与える演出を表現することができる。
【００４８】
また、水槽支持板３Ａを、上から４段目の各段部５Ｄ，５Ｄに載置すれば、水槽３が天板２の開口部２ａよりも下方に没入される（図１の仮想線参照）。上段側の各段部５Ｃ，５Ｃに載置した際よりも水槽３と光源４との間隔が狭くなる。光源４に対して水槽３が近接されるため、光源４から水槽３に向けて投光される光量が最も多くなり、水槽３以外の部分に向けて投光される光量が少なくなるので、最も明るい状態に調光することができる。また、水槽３を天板２の表面よりも低くなる高さに調節することで、ひかえめな演出を表現することができる。
【００４９】
一方、水槽３の高さが固定された状態にて、光源４の高さを調節する場合、光源４が収容された光源支持板４Ａを、収容部５の下位側内壁面に設けられた複数段の中から選択した所望する位置の各段部５Ｅ〜５Ｈに載置すれば、光源４の高さを段階的に可変調節することができる。
【００５０】
つまり、光源支持板４Ａを、収容部５に設けられた上から５段目の各段部５Ｅ，５Ｅに載置すれば、その下段側の各段部５Ｆ，５Ｆに載置した際よりも水槽３と光源４との間隔が狭くなる（図１の仮想線参照）。水槽３に対して光源４が近接されるため、光源４から水槽３に向けて投光される光量が最も多くなり、水槽３以外の部分に向けて投光される光量が少なくなるので、水槽３を透過して上方に向けて放射及び拡散される光量が多く、最も明るい状態に調光することができる。
【００５１】
また、光源支持板４Ａを、上から６段目の各段部５Ｆ，５Ｆに載置すれば、上段側の各段部５Ｅ，５Ｅに載置した際よりも水槽３と光源４との間隔が広く、下段側の各段部５Ｇ，５Ｇに載置した際よりも狭くなる（図１の実線参照）。光源４から水槽３に向けて投光される光量が少なくなり、水槽３以外の部分に向けて投光される光量が多くなるので、中程度の明るい状態に調光することができる。
【００５２】
また、光源支持板４Ａを、上から７段目の各段部５Ｇ，５Ｇ（又は８段目の各段部５Ｈ，５Ｈ）に載置すれば、上段側の各段部５Ｆ，５Ｆに載置した際よりも水槽３と光源４との間隔が広くなる（図１の仮想線参照）。光源４から水槽３に向けて投光される光量が最も少なくなり、水槽３以外の部分に向けて投光される光量が多くなるので、落ち着いた明るさに調光することができる。
【００５３】
以上のように、天板２の開口部２ａに収容された水槽３と光源４との少なくとも一方の高さを段階的に可変調節して、水槽３と光源４との間隔を狭くすると、光源４から水槽３に向けて投光される光量が多くなり、水槽３以外の部分に向けて投光される光量が少なくなる。水槽３を透過して上方に向けて放射される光量が多くなるので、明るい視覚的効果が得られる。また、水槽３と光源４との間の間隔を広くすると、光源４から水槽３に向けて投光される光量が少なくなり、水槽３以外の部分に向けて投光される光量が多くなる。水槽３を透過して上方に向けて放射される光量が少なくなるので、落ち着いた視覚的効果が得られる。
【００５４】
つまり、水槽３と光源４との間隔を相対的に拡縮することにより、水槽３を透過して上方に向けて放射及び拡散される光量が多くなるか少なくなるので、演出や要望、好み等に応じて所望する明るさに調光することができる。また、光源の点灯・点滅・照度・発色による視覚効果に加えて、水槽３を透過する際に光が拡散されるため、光の拡散効果も得られる。
【００５５】
図３、図４は、天板２の開口部２ａに対して水槽支持板３Ａ又は光源支持板４Ａを水平方向に対して略９０度回転して収容することにより、水槽３と光源４との少なくとも一方の高さを段階的に可変調節する他の調節方法を示している。この調節方法は、水槽支持板３Ａの一方の対向辺部に突設された各突起３Ａ１，３Ａ１を、収容部５の一方の対向内壁面に突設された各棚部５Ａ１，５Ａ１に係合して、水槽支持板３Ａに載置される水槽３を所望する高さに支持する。
【００５６】
また、天板２の開口部２ａから水槽３を抜き取った後、開口部２ａから抜き取った水槽支持板３Ａを略９０度だけ水平回転する。その水平回転した水槽支持板３Ａを天板２の開口部２ａに上方から収容して、水槽支持板３Ａの他方の対向辺部に突設された各突起３Ａ２，３Ａ２を、収容部５の他方の対向内壁面に突設された各棚部５Ａ２，５Ａ２に係合して、水槽３が載置される水槽支持板３Ａの高さを調節するので、前記実施例と略同等の作用及び効果を奏することができる。
【００５７】
また、各棚部５Ａ１，５Ａ２を複数段設けるとともに、その段数に対応して複数パターンの水槽支持板３Ａを予め製作しておけば、水槽支持板３Ａ…を差し替えるだけで、水槽３の高さを段階的に調節することができる。
【００５８】
図５は、水槽３と光源４との高さを無段階に可変調節する装飾テーブル１の他の例を示している。この装飾テーブル１は、水槽支持板３Ａと光源支持板４Ａの四辺縁部（又は両側縁部）を、収容部５の内壁面に沿って上下方向に設けられた各ガイド溝５ａ，５ａに対して上下動自在に係合している。また、ガイド溝５ａの代わりに、例えばガイド棒やガイドレール等のガイド部材によりガイドしてもよい。
【００５９】
水槽支持板３Ａの一側部に設けられた螺合部３Ａｂは、収容部５の右側外壁面に沿って軸架されたネジ軸８に対して上下動自在に係合されている。また、光源支持板４Ａの他側部に設けられた螺合部４Ａｂは、収容部５の左側外壁面に沿って軸架されたネジ軸９に対して上下動自在に係合されている。また、天板２裏面に固定された水槽昇降用モータ８Ａと光源昇降用モータ９Ａは、リモートコントローラ１０から出力される信号により駆動及び停止、正逆回転が制御される。
【００６０】
光源４の高さを固定した状態にて、水槽３の高さを可変調節する場合、水槽昇降用モータ８Ａによりネジ軸８を正逆回転して、水槽３が載置される水槽支持板３Ａを上下方向へ移動すれば、水槽支持板３Ａに載置された水槽３の高さを無段階に可変調節することができる。
【００６１】
また、水槽３の高さを固定した状態にて、光源４の高さを可変調節する場合、光源昇降用モータ９Ａによりネジ軸９を正逆回転して、光源４が収容された光源支持板４Ａを上下方向へ移動すれば、光源４の高さを無段階に可変調節することができる。
【００６２】
つまり、水槽３及び光源４の少なくとも一方の高さを可変調節して、水槽３と光源４との間隔を相対的に拡縮することにより、演出や要望、好み等に応じて所望する明るさに調光するので、前記実施例と略同等の作用及び効果を奏することができる。
【００６３】
なお、水槽昇降用モータ８Ａと光源昇降用モータ９Ａを、図示しない操作部に設けられたスイッチのＯＮ／ＯＦＦ操作により制御してもよい。また、水槽昇降用モータ８Ａと光源昇降用モータ９Ａの両方を駆動すれば、水槽３と光源４を、互いに近接される方向又は離間される方向へ相対移動することもできる。
【００６４】
図６は、水槽３の排水口３ｃを槽底部の角隅部に設け、排水口３ｃの直下位置に光源支持板４Ａの挿通孔４Ａａを設けた装飾テーブル１の他の例を示している。つまり、水槽３の中央部から透光性を妨げるような構造を取り除くことにより、水槽３中央部の透光性が向上し、光による視覚的効果を効率よく演出することができる。また、排水口３ｃを槽底部の一側縁部付近に設けてもよい。
【００６５】
図７は、水槽３を上面側中央部が開口された水槽支持枠３Ｂで支持する他の例を示している。この水槽支持枠３Ｂは、水槽３を支持するのに必要な強度を有するプラスチック又は金属で形成され、水槽３の底面側中央部と対向する上面側中央部を開口し、水槽３の底面側周縁部が支持される大きさ及び形状に形成している。つまり、水槽支持枠３Ｂを、収容部５内に設けられた各段部５Ａ〜５Ｄの中から選択した所望する位置の段部に手前から挿入して載置した後、水槽３を天板２の開口部２ａに上方から挿入して水槽支持枠３Ｂ上に載置するので、前記実施例と同様に、水槽３の高さを段階的に可変調節することができる。また、光源４から投光される光が水槽４に対して直接照射されるので、光の損失が少なく、光による視覚的効果を効率よく演出することができる。また、水槽支持枠３Ｂは前記水槽支持板３Ａよりも軽量に形成することができる。これにより、高さを変更する作業が簡単且つ容易に行える。また、不透明な部材で形成することもできる。
【００６６】
図８は、水槽３を収容部５の四隅部に挿通された各水槽支持棒３Ｃ…により支持する他の例を示している。４本の各水槽支持棒３Ｃ…は、水槽３を支持するのに必要な強度を有する金属で形成され、水槽３の底面側四隅部が水平に支持される長さ及び直径に形成している。つまり、各水槽支持棒３Ｃ…を、収容部５の直角を成す四隅部の各壁部５Ｂ，５Ｂに設けられた所望する高さ位置の各孔部５Ｃ，５Ｃに挿入して抜止めした後、水槽３を、天板２の開口部２ａに上方から挿入して収容部５の四隅部を挿通された各水槽支持棒３Ｃ…上に載置するので、前記実施例と同様に、水槽３の高さを段階的に可変調節することができる。
【００６７】
なお、各孔部５Ｃ，５Ｃに挿入された水槽支持棒３Ｃの挿入側先端部にナット３Ｃａを螺合する等して抜止めする。或いは、ピンや止め具等により抜止めしてもよい。また、各孔部５Ｃ，５Ｃは、四隅部の各壁部５Ｂ，５Ｂに沿って上下方向に対して所定等間隔に隔てて複数段設けられている。また、一方の孔部５Ｃに螺刻された雌ネジ部に、水槽支持棒３Ｃの挿入側先端部に螺刻された雄ネジ部を螺合して抜止めしてもよい。また、孔部５Ｃに、例えば支持ピンや支持金具等の支持部材を係止して、その支持部材上に水槽３又は水槽支持板３Ａを載置してもよい。
【００６８】
図９は、水槽３を収容部５の両側内壁面に枢着された左右一対の各水槽支持片５Ｄ，５Ｄにより支持する他の例を示している。各水槽支持片５Ｄ，５Ｄは、水槽支持台３Ａが水平に支持される水平姿勢（図中の実線参照）と、収容部５の両側内壁面に沿う起立姿勢（図中の仮想線参照）とに上下回動自在に枢着している。つまり、収容部５の両側内壁面に枢着された所望する位置の各水槽支持片５Ｄ，５Ｄを水平姿勢に回動した後、水槽３を、天板２の開口部２ａに上方から挿入して各水槽支持片５Ｄ，５Ｄ上に載置すれば、前記実施例と同様に、水槽３の高さを段階的に可変調節することができる。また、水槽支持台３Ａを介在せずに、水槽４を左右一対の各水槽支持片５Ｄ，５Ｄに直接載置してもよい。
【００６９】
なお、収容部５の両側内壁面に沿って上下方向に対して所定等間隔に隔てて複数設けられている。また、各水槽支持片５Ｄ，５Ｄは、コイルスプリング等の付勢手段により起立姿勢に回動復帰されるので、水槽支持台３Ａを所望する高さに上下移動する動作が妨げられない。
【００７０】
この発明の構成と、前記実施例との対応において、  
この発明のケースは、実施例の水槽３に対応し、  
以下同様に、  
高さ調節手段は、段階的調節手段を構成する各段部５Ａ〜５Ｈと、孔部５Ｃと、無段階調節手段を構成するネジ軸８，９と、水槽昇降用モータ８Ａと、光源昇降用モータ９Ａとに対応し、  
支持部材は、水槽支持板３Ａと、光源支持板４Ａと、水槽支持枠３Ｂと、水槽支持棒３Ｃと、水槽支持片５Ｄとに対応するも、  
この発明は、前記実施例の構成のみに限定されるものではなく、請求項に示される技術思想に基づいて応用することができ、多くの実施の形態を得ることができる。
【図面の簡単な説明】
【００７１】
【図１】段階的調光機能を備えた装飾テーブルを示す斜視図。
【図２】装飾テーブルの段階的調光方法を示す縦断側面図。
【図３】水槽又は光源の高さを調節する他の調節方法を示す斜視図。
【図４】水槽を天板の開口部に上方から収容する方法を示す斜視図。
【図５】無段階調光機能を備えた装飾テーブルの他の例を示す縦断側面図。
【図６】水槽の排水口を槽底部の角隅部に設けた他の例を示す縦断側面図。
【図７】水槽を支持する水槽支持枠で支持する他の例を示す斜視図。
【図８】水槽を４本の各水槽支持棒で支持する他の例を示す斜視図。
【図９】水槽を左右一対の各水槽支持片で支持する他の例を示す拡大断面図。
【符号の説明】
【００７２】
Ｗ…水
Ａ…水中生物
Ｂ…ビー玉
１…装飾テーブル
２…天板
２ａ…開口部
３…水槽
３ｃ…排水口
３Ａ…水槽支持板
３Ｂ…水槽支持枠
３Ｃ…水槽支持棒
３Ａａ…挿通孔
３Ａ１，３Ａ２…突起
４…光源
４Ａ…光源支持板
４Ａａ…挿通孔
５…収容部
５Ａ〜５Ｈ…段部
５Ｂ…壁部
５Ｃ…孔部
５Ｄ…水槽支持片
５Ａ１，５Ａ２…棚部
８，９…ネジ軸
８Ａ…水槽昇降用モータ
９Ａ…光源昇降用モータ
【図１】
0004954817.tif 000002
【図２】
0004954817.tif 000003
【図３】
0004954817.tif 000004
【図４】
0004954817.tif 000005
【図５】
0004954817.tif 000006
【図６】
0004954817.tif 000007
【図７】
0004954817.tif 000008
【図８】
0004954817.tif 000009
【図９】
0004954817.tif 000010